(57)【要約】      （修正有）【課題】ユーザが、勝手にしゃべる玩具のおしゃべりを許したり、玩具をだまらせようとしたりする行為を楽しみ、思うようになりそうでならない玩具の発声を、あたかも口にチャックをするようにして変化させることで、ユーザに豊かな趣向性を持たせるおしゃべり玩具を提供する。【解決手段】玩具本体と、玩具本体に形成された口４と、玩具本体に設けられ口４を拘束して開度を調節する線ファスナ１２と、玩具本体に設けられ音声を出力する音源部８と、玩具本体に設けられ口４の開度に応じて音源部８の音声出力を変化させる制御部１０とを備える。ユーザは、勝手にしゃべる玩具のおしゃべりを許したり、玩具をだまらせようとしたりする行為を楽しむ。【選択図】図２
0003177448.tif 000002
【実用新案登録請求の範囲】
【請求項１】
玩具本体と、
前記玩具本体に形成された開口と、
前記玩具本体に設けられ、前記開口を塞ぐように拘束可能な拘束部と、
前記玩具本体に設けられ、音声を出力する音源部と、
前記玩具本体に設けられ、前記開口の開度の変化に応じて前記音源部の音声出力を変化させる制御部と
を備えるおしゃべり玩具。
【請求項２】
前記制御部は、前記開口を塞いだ状態でも音声を出力するように前記音源部を駆動する請求項１記載のおしゃべり玩具。
【請求項３】
前記拘束部は、口角間の差し渡し方向に沿う前記開口の開度を調節する請求項１記載のおしゃべり玩具。
【請求項４】
前記開口の開度を検出する検出部をさらに備え、
前記制御部は、前記検出部の出力に基づいて前記前記音源部の音声出力を変化させる請求項１に記載のおしゃべり玩具。
【請求項５】
前記拘束部は、線ファスナである請求項３に記載のおしゃべり玩具。
【請求項６】
前記検出部は、前記開口の開度に応じて作動するスイッチを含む請求項４に記載のおしゃべり玩具。
【請求項７】
前記スイッチは、前記拘束部の動きをきっかけに作動する請求項６に記載のおしゃべり玩具。
【請求項８】
前記検出部は、前記開口の一方の口角に隣接して配置された第一スイッチと、前記開口の他方の口角に隣接して配置された第二スイッチとを含む請求項６に記載のおしゃべり玩具。
【請求項９】
前記制御部は、前記第一スイッチの状態、および前記第二スイッチの状態の組み合わせパターンに基づいて前記前記音源部の音声出力を変化させる請求項８に記載のおしゃべり玩具。
【請求項１０】
前記拘束部は線ファスナであって、
前記検出部は、前記線ファスナのスライダの接近を検知する近接スイッチを含む請求項５に記載のおしゃべり玩具。
【考案の詳細な説明】
【技術分野】
【０００１】
本考案は、音声を発するおしゃべり玩具に関する。
【背景技術】
【０００２】
音声を発する玩具は従来から存在する。下記の特許文献１には、口の開き具合に比例して音声出力の大きさを調節することができるパペット玩具が開示されている。同じく下記の特許文献２には、腹部に内蔵されたスイッチを操作して音声を発する人形が開示されている。この玩具によれば、腹部を押す力を変化させることにより、口の開き具合を調節することができる。つまり、腹部を強く押すと口が大きく開き、弱く押すと口が小さく開く。
下記の特許文献３には、口を大きく開くとスイッチが入り音声を発する玩具が開示されている。
【先行技術文献】
【特許文献】
【０００３】
【特許文献１】実用新案登録第３１１３９２４号公報
【特許文献２】実用新案登録第３１１２１３８号公報
【特許文献３】米国特許第５４４７４６１号明細書
【考案の概要】
【考案が解決しようとする課題】
【０００４】
上記の玩具はいずれも、ユーザの働きかけに応じておしゃべりを始めるように音声を発する仕組みを有する。
【課題を解決するための手段】
【０００５】
本考案のおしゃべり玩具は、玩具本体と、前記玩具本体に形成された開口と、前記玩具本体に設けられ前記開口を拘束して開度を調節する拘束部と、前記玩具本体に設けられ音声を出力する音源部と、前記玩具本体に設けられ前記開口の開度に応じて前記音源部の音声出力を変化させる制御部とを備える。
【０００６】
上記おしゃべり玩具において、前記制御部は、前記開口を塞いだ状態でも音声を出力するように前記音源部を駆動してもよい。
【０００７】
前記拘束部は、口角間の差し渡し方向に沿う前記開口の開度を調節してもよい。
【０００８】
本考案のおしゃべり玩具は、前記開口の開度を検出する検出部をさらに備え、前記制御部は、前記検出部の出力に基づいて前記前記音源部の音声出力を変化させてもよい。
【０００９】
前記拘束部は、線ファスナであってもよい。
【００１０】
前記検出部は、前記開口の開度に応じて作動するスイッチを含んでもよい。
【００１１】
前記スイッチは、前記拘束部の動きをきっかけに作動してもよい。
【００１２】
前記検出部は、前記開口の一方の口角に隣接して配置された第一スイッチと、前記開口の他方の口角に隣接して配置された第二スイッチとを含んでもよい。
【００１３】
前記制御部は、前記第一スイッチの状態、および前記第二スイッチの状態の組み合わせパターンに基づいて前記前記音源部の音声出力を変化させてもよい。
【００１４】
前記拘束部は線ファスナであって、前記検出部は、前記線ファスナのスライダの接近を検知する近接スイッチを含んでもよい。
【考案の効果】
【００１５】
本考案のおしゃべり玩具によれば、ユーザは、勝手にしゃべる玩具のおしゃべりを許したり、玩具をだまらせようとしたりする行為を楽しむ。本考案のおしゃべり玩具によれば、思うようになりそうでならない玩具の発声を、あたかも口にチャックをするようにして変化させることで、ユーザに豊かな趣向性を提供することができる。
【図面の簡単な説明】
【００１６】
【図１】本考案のおしゃべり玩具の全体像を示す図である。
【図２】本考案のおしゃべり玩具に内蔵された各部の機能ブロック図である。
【図３】本考案の第一の変形例を示す部分図である。
【図４】本考案の第二の変形例を示す部分図である。
【図５】本考案の第三の変形例を示す部分図である。
【図６】本考案の第四の変形例を示す部分図である。
【図７】上記第四の変形例のおしゃべり玩具に内蔵された各部の機能ブロック図である。
【図８】本考案の第五の変形例を示す部分図である。
【考案を実施するための形態】
【００１７】
図１および図２に示すように、本実施形態のおしゃべり玩具１Ａは、例えば人や動物を模したぬいぐるみである。この玩具１Ａは、玩具本体２と、玩具本体２の頭部２ａに形成された口（本考案の開口に相当する）４と、口４を拘束して開度を調節する調節部６と、音声を出力する音源部８と、口４の開度を検出する検出部９と、音源部８を制御する制御部１０とを備え、さらにメインスイッチ１１Ａと電源１１Ｂとを備えている。制御部１０は、検出部９の出力に基づく口４の開度の変化に応じて音源部８の音声出力を変化させる。調節部６、検出部９は頭部２ａに内蔵され、音源部８、制御部１０、メインスイッチ１１Ａおよび電源１１Ｂは玩具本体２の胴２ｂの部分に内蔵されている。
【００１８】
調節部６は、口角間の差し渡し方向に沿って頭部２ａの外布地に縫い付けられた線ファスナ１２である。線ファスナ１２は、一組のテープ１２ａ、１２ｂと、各テープ上に一列に並べて取り付けられた複数のエレメント１２ｃと、一組のテープ１２ａ、１２ｂ間で両テープの長さ方向に移動可能なスライダ１２ｄと、スライダ１２ｄを操作するためのタブ１２ｅとを含む。線ファスナ１２は、単純に口４の開度を調節するだけでなく、閉じられた口４を塞ぐように拘束することが可能である。なお、本実施形態ではエレメント１２ｃは樹脂製、スライダ１２ｄは磁性を有する金属製である。
【００１９】
口４は、線ファスナ１２のスライダ１２ｄを一方の口角４ａから他方の口角４ｂに向けて移動させることにより徐々に線ファスナ１２による拘束を解かれて開度を増大し、転じてスライダ１２ｄを他方の口角４ｂから一方の口角４ａに向けて移動させることにより徐々に線ファスナ１２に拘束されて開度を減少する。
【００２０】
頭部２ａには、内フレーム１３と、内フレーム１３に固定された検出部９としての２つのリーフスイッチ１４，１５とが内蔵されている。内フレーム１３にはスロット１３ａが形成されている。内フレーム１３には、スロット１３ａに沿ってスライド可能な内スライダ１３ｂが設けられている。スロット１３ａは口４の内側に位置し、内スライダ１３ｂは線ファスナ１２のスライダ１２ｄに組み合わされており、内スライダ１３ｂはスライダ１２ｄの移動に伴ってスロット１３ａに沿って移動する。一方のリーフスイッチ１４は、スロット１３ａの一端に配置され、一方の口角４ａに隣接している。他方のリーフスイッチ１５は、スロット１３ａの他端に配置され、他方の口角４ｂに隣接している。
【００２１】
リーフスイッチ１４は一対の接片１６ａ，１６ｂを有し、リーフスイッチ１５は一対の接片１７ａ，１７ｂを有している。
リーフスイッチ１４は、線ファスナ１２のスライダ１２ｄが一方の口角４ａに近づき、スライダ１２ｄに従動する内スライダ１３ｂが一方の接片１６ａを他方の接片１６ｂに押し付けると、信号を出力する（スイッチ１４を「オン」）。スライダ１２ｄが一方の口角４ａから遠ざかり、内スライダ１３ｂが接片１６ａから離れると、接片１６ａと接片１６ｂとの接触が解消し、信号の出力が止む（スイッチ１４を「オフ」）。
【００２２】
リーフスイッチ１５は、スライダ１２ｄが他方の口角４ｂに近づき、内スライダ１３ｂが一方の接片１７ａを他方の接片１７ｂに押し付けると、信号を出力する（スイッチ１５を「オン」）。スライダ１２ｄが一方の口角４ｂから遠ざかり、内スライダ１３ｂが接片１７ａから離れると、接片１７ａと接片１７ｂとの接触が解消し、信号の出力が止む（スイッチ１５を「オフ」）。
【００２３】
スライダ１２ｄを一方の口角４ａまで移動させ、口４を完全に封止した状態では、リーフスイッチ１４は「オン」、リーフスイッチ１５は「オフ」である。一方、スライダ１２ｄを他方の口角４ｂまで移動させ、口４を完全に開いた状態では、リーフスイッチ１４は「オフ」、リーフスイッチ１５は「オン」である。さらに、スライダ１２ｄを口４の中央、つまり一方の口角４ａからも他方の口角４ｂからも離して配置した状態では、リーフスイッチ１４，１５は双方とも「オフ」である。
【００２４】
リーフスイッチ１４，１５を含む検出部９は、両スイッチの「オン」、「オフ」の組み合わせにより、口４の開度を「全閉」、「半開き」、「全開」の三段階で検出する。
【００２５】
スライダ１２ｄが一方の口角４ａ近くに位置するとき（スイッチ１４を「オン」、スイッチ１５を「オフ」）、制御部１０はリーフスイッチ１４からの信号を受信して、口４が「全閉」であると判断し、第一パターンの音声信号を発信する。音源部８は、制御部１０から第一パターンの音声信号を受信して、あたかも口を拘束されてくぐもった声のように聞こえる音声を発する。
【００２６】
スライダ１２ｄが他方の口角４ｂ近くに位置するとき（スイッチ１４を「オフ」、スイッチ１５を「オン」）、制御部１０はリーフスイッチ１５からの信号を受信して、口４が「全開」であると判断し、第二パターンの音声信号を発信する。音源部８は、制御部１０から第二パターンの音声信号を受信して、口４の拘束を解かれてはっきりとした声のように聞こえる大きな音声を発する。
【００２７】
スライダ１２ｄが口４の中央、つまり一方の口角４ａからも他方の口角４ｂからも離れた位置にあるとき（スイッチ１４、１５両方を「オフ」）、制御部１０はリーフスイッチ１４、１５のいずれからも信号を受信しないと、口４が「半開き」であると判断し、第三パターンの音声信号を発信する。音源部８は、制御部１０から第二パターンの音声信号を受信して、口４を半分拘束されてややくぐもった声のように聞こえる音声を発する。
【００２８】
ユーザは、メインスイッチを入れ、線ファスナ１２のスライダ１２ｄを動かして遊ぶ。口４を線ファスナ１２で塞がれていると、おしゃべり玩具１Ａはくぐもった声を発している。ユーザがその状況をかわいそうに思い、スライダ１２ｄを動かして口４を開くと、おしゃべり玩具１Ａははっきりとした大きな声を発する。今度は、ユーザがそれをうるさく感じ、口４を塞ぐようにスライダ１２ｄを徐々に動かすと、おしゃべり玩具１Ａの声色は、ややくぐもった声に変化する。
【００２９】
おしゃべり玩具１Ａは、ユーザの意思によりスイッチを操作して音声を発したり止めたりするだけの単純な人形ではない。つまり、音声の発生を止めることはユーザにはできず、ユーザは、勝手にしゃべる玩具１Ａのおしゃべりを許したり、玩具１Ａをだまらせようとしたりする行為を楽しむのである。
【００３０】
本考案のおしゃべり玩具１Ａは、思うようになりそうでならないぬいぐるみの発声を、あたかも口にチャックをするようにして変化させることで、ユーザに豊かな趣向性を提供することができる。
【００３１】
以上、本考案の好ましい実施形態を説明したが、本考案は上記の実施形態に限定されることはない。本考案の趣旨を逸脱しない範囲で、構成の付加、省略、置換、およびその他の変更が可能である。例えば、リーフスイッチ１４，１５の代わりに、図３に示すタクトスイッチ１８，１９を採用してもよい。タクトスイッチ１８にはレバー１８ａが設けられ、タクトスイッチ１９にはレバー１９ａが設けられている。
【００３２】
タクトスイッチ１８は、線ファスナ１２のスライダ１２ｄが一方の口角４ａに近づき、スライダ１２ｄに追従する内スライダ１３ｂがレバー１８ａを倒すと、信号を出力する（スイッチ１８を「オン」）。スライダ１２ｄが一方の口角４ａから遠ざかり、レバー１８ａから離れると、レバー１８ａが自らの弾性復元力により初期位置に回帰し、信号の出力が止む（スイッチ１８を「オフ」）。
【００３３】
タクトスイッチ１９は、スライダ１２ｄが他方の口角４ｂに近づき、内スライダ１３ｂがレバー１９ａを倒すと、信号を出力する（スイッチ１９を「オン」）。スライダ１２ｄが一方の口角４ｂから遠ざかり、レバー１９ａから離れると、レバー１９ａが自らの弾性復元力により初期位置に回帰し、信号の出力が止む（スイッチ１９を「オフ」）。
【００３４】
リーフスイッチ１４，１５と同様に、検出部９は、タクトスイッチ１８，１９の「オン」、「オフ」の組み合わせにより、口４の開度を「全閉」、「半開き」、「全開」の三段階で検出する。
【００３５】
リーフスイッチ１４，１５の代わりに、図４に示すマグネットスイッチ２０，２１を採用してもよい。マグネットスイッチ２０は一対の接片２２ａ，２２ｂを有し、マグネットスイッチ２１は一対の接片２３ａ，２３ｂを有している。内スライダ１３ｂには磁性体２４が固定されている。
【００３６】
マグネットスイッチ２０は、線ファスナ１２のスライダ１２ｄが一方の口角４ａに近づくと、内スライダ１３ｂに取り付けられた磁性体２４の接近をきっかけにして接片２２ａ，２２ｂを相互に接触させ、信号を出力する（スイッチ２０を「オン」）。また、スライダ１２ｄが一方の口角４ａから離れると、磁性体２４の離間に伴い接片２２ａ，２２ｂの接触が解消し、信号の出力が止む（スイッチ２０を「オフ」）。
【００３７】
マグネットスイッチ２１は、スライダ１２ｄが他方の口角４ｂに近づくと、磁性体２４の接近をきっかけにして接片２３ａ，２３ｂを相互に接触させ、信号を出力する（スイッチ２１を「オフ」）。また、スライダ１２ｄが他方の口角４ｂから離れると、磁性体２４の離間に伴い接片２３ａ，２３ｂの接触が解消し、信号の出力が止む（スイッチ２１を「オフ」）。
【００３８】
リーフスイッチ１４，１５と同様に、検出部９は、マグネットスイッチ２０，２１の「オン」、「オフ」の組み合わせにより、口４の開度を「全閉」、「半開き」、「全開」の三段階で検出する。
【００３９】
マグネットスイッチ２０，２１は、内スライダ１３ｂと直に接することなく作動するので、マグネットスイッチ２０，２１の配置に制限が少なく、設計の自由度が高い。
【００４０】
おしゃべり玩具１Ａの口４を拘束する線ファスナ１２の代わりに、図５に示す機構を採用してもよい。この機構２５は、口４の口角４ａ、４ｂ間を往復移動して口４を塞ぐシャッター２６を有する。シャッター２６の端には操作のための金属製のツマミ２６ａが取り付けられている。このツマミ２６ａを持ってシャッター２６を一方の口角４ａから他方の口角４ｂに向けて動かすと口４が開き、他方の口角４ｂから一方の口角４ａに向けて動かすと口４が閉じる。
【００４１】
シャッター２６のツマミ２６ａを一方の口角４ａまで移動させ、口４を完全に封止した状態では、リーフスイッチ１４は「オン」、リーフスイッチ１５は「オフ」である。一方、ツマミ２６ａを他方の口角４ｂまで移動させ、口４を完全に開いた状態ではリーフスイッチ１４は「オフ」、リーフスイッチ１５は「オン」である。さらに、ツマミ２６ａを口４の中央、つまり一方の口角４ａからも他方の口角４ｂからも離して配置した状態では、リーフスイッチ１４，１５は双方とも「オフ」である。
【００４２】
線ファスナ１２の代わりに、図６および図７に示すもうひとつの機構を採用してもよい。これは日本の伝統的な小銭入れに使われる、ガマ口と呼ばれる開放機構である。この機構３０には、２つのカーブした部材３１、３２が両端のリンク機構３３を介して接合されており、２つの部材を重ね合わせるように相互に近づけると、２つの部材の中間部にそれぞれ固定された突起３１ａ、３２ａどうしが係合して口４が閉じる。カーブした部材３１には接触式のスイッチ３４が設けられている。ガマ口が閉じた状態ではスイッチ３４は「オン」、ガマ口が開いた状態では「オフ」である。
【００４３】
ガマ口が閉じた状態のとき（スイッチ３４を「オン」）、制御部１０はスイッチ３４からの信号を受信して、口４が「全閉」であると判断し、第一パターンの音声信号を発信する。音源部８は、制御部１０から第一パターンの音声信号を受信して、あたかも口を拘束されてくぐもった声のように聞こえる音声を発する。
【００４４】
ガマ口が開いた状態のとき（スイッチ３４を「オフ」）、制御部１０はスイッチ３４からの信号入力がないことから、口４が「全開」であると判断し、第二パターンの音声信号を発信する。音源部８は、制御部１０から第二パターンの音声信号を受信して、口４の拘束を解かれてはっきりとした声のように聞こえる大きな音声を発する。
【００４５】
本考案のおしゃべり玩具は、人や動物などの口をもつ生物を模したぬいぐるみだけでなく、植物など本来であれば口をもたない生物、さらには非生物を模したぬいぐるみに適用されてもよい。例えば、図８に示すおしゃべり玩具１Ｂは空豆を模したぬいぐるみである。豆を包むサヤ４０の部分には、開口４２が形成されており、開口４２には、開口４２を拘束して開度を調節する調節部としての線ファスナ１２が設けられている。開口４２の開度を検出する検出部、音源部、音源部を制御する制御部には、上記おしゃべり玩具１Ａと同じ構造を採用できる。
【００４６】
本考案のおしゃべり玩具１Ｂでは、言葉を発しそうにない空豆のぬいぐるみが、あたかも意思をもつ生き物のようにおしゃべりする。ユーザは、摩訶不思議なぬいぐるみの発声をチャックの開け閉めにより変化させることで、豊かな趣向性を得ることができる。
【００４７】
さらに、本考案のおしゃべり玩具は、ぬいぐるみだけでなく、樹脂製の人形など、別素材の玩具に適用されてもよい。
【００４８】
本考案は前述した説明によって限定されることはなく、添付のクレームの範囲によってのみ限定される。
【符号の説明】
【００４９】
１Ａ、１Ｂ  おしゃべり玩具
２  玩具本体
４  口
８  音源部
９  検出部
１０  制御部
１２  線ファスナ
１４、１５  リーフスイッチ
１８、１９  タクトスイッチ
２０、２１  マグネットスイッチ
【図１】
0003177448.tif 000003
【図２】
0003177448.tif 000004
【図３】
0003177448.tif 000005
【図４】
0003177448.tif 000006
【図５】
0003177448.tif 000007
【図６】
0003177448.tif 000008
【図７】
0003177448.tif 000009
【図８】
0003177448.tif 000010